(57)【要約】【課題】    ケースの盗難を防止することができる盗難防止用ケースを提供する。【解決手段】内部に被収納物を収納するケースであって、該内部に被収納物を入れる入口と、線材が貫通可能な貫通孔と、を有するものである、盗難防止用ケースである。複数の前記貫通孔を有するものであってもよい。そして、開口を有する本体部分と、該本体部分の該開口を開閉自在な蓋部分と、を有し、前記複数の貫通孔のうち少なくとも２の貫通孔が、該蓋部分と該本体部分とのいずれか一方に形成されているものであってもよい。【選択図】  図１４
0003112810.tif 000002
【実用新案登録請求の範囲】
【請求項１】
内部に被収納物を収納するケースであって、
該内部に被収納物を入れる入口と、
線材が貫通可能な貫通孔と、を有するものである、盗難防止用ケース。
【請求項２】
複数の前記貫通孔を有するものである、請求項１に記載の盗難防止用ケース。
【請求項３】
開口を有する本体部分と、該本体部分の該開口を開閉自在な蓋部分と、を有し、
前記複数の貫通孔のうち少なくとも２の貫通孔が、該蓋部分と該本体部分とのいずれか一方に形成されているものである、請求項２に記載の盗難防止用ケース。
【請求項４】
前記貫通孔が、底面以外の部分に形成されるものである、請求項１乃至３のいずれか１に記載の盗難防止用ケース。
【請求項５】
請求項１乃至４のいずれか１に記載の盗難防止用ケースと、前記線材と、を備えてなる、盗難防止用ケースと線材とのセット。
【考案の詳細な説明】
【技術分野】
【０００１】
本考案は、盗難防止用ケースに関し、より詳細には、簡単かつ安価に盗難を防止することができるケースに関する。
【背景技術】
【０００２】
図１は従来用いられていたケース１０１を示す正面図であり、図２は図１に示したケース１０１の平面図（図１中、矢印Ｃ方向から見たところを示している。）であり、図３は図１に示したケース１０１の左側面図（図１中、矢印Ｄ方向から見たところを示している。）であり、図４は図１に示したケース１０１の右側面図（図１中、矢印Ｅ方向から見たところを示している。）であり、図５は図１のＡーＡ断面図（一部省略）であり、図６は図１のＢーＢ断面図（部分）である。そして、図７は蓋部分１２１の正面図（図１と同様の方向から見たところを示している。）であり、図８は図７のＦーＦ断面図である。さらに、図９は、本体部分１４１の正面図（図１と同様の方向から見たところを示している。）であり、図１０は図９に示した本体部分１４１の平面図（図９中、矢印Ｇ方向から見たところを示している。）であり、図１１は図９に示した本体部分１４１の左側面図（図９中、矢印Ｈ方向から見たところを示している。）であり、図１２は図９に示した本体部分１４１の右側面図（図９中、矢印Ｉ方向から見たところを示している。）である。図１乃至図１２を参照して、従来のケース１０１について説明する。
なお、図中、「上」を矢印Ｊ１にて、そして「下」を矢印Ｊ２にて、それぞれ示した。
【０００３】
ここでは従来のケース１０１は、スーパーマーケット等の店舗に配設される懸賞応募箱（該店舗の顧客等が、旅行や商品等の懸賞の当選を目的として自分を特定する情報を記載した紙片（応募用紙）を投入するためのものであり、所定の応募期間を通じて該店舗に配設されるものである。）として用いられるものであり、懸賞に応募する者が自分を特定する情報（例えば、住所、氏名、電話番号、性別、年齢、職業等）を記載した紙片（応募用紙）を投入するものである。通常、応募期間が満了しケース１０１内部から取り出されるまで該紙片（応募用紙）はケース１０１内部に保持されるものであり、応募期間が満了した後、該紙片（応募用紙）はケース１０１内部から取り出され、抽選に付される（抽選により当選した者には、該紙片（応募用紙）に記載された該情報に従って連絡等がなされる。）。
従来のケース１０１は、大まかには、開口１４３（特に、図９、図５及び図６を参照されたい。）を有する本体部分１４１と、開口１４３を開閉する蓋部分１２１と、を有してなり、全体としては中空の略直方体形状をしている。
【０００４】
本体部分１４１は、中空の略直方体形状を有しており、該直方体の外面を構成する６面のうち１面（ここでは該６面が１の上面、１の底面（下面）及び４の側面の計６面とすると、側面のうちの１面）が開放されており、残りの５面は板部材（ここでは具体的には主表面が略長方形のプラスチック板により形成されている。）により仕切られている。該開放された１面の部分により開口１４３が形成されており、開口１４３は本体部分１４１の内部（該中空の略直方体の内部）と外部とを連通させる。
開口１４３は略長方形状をしており、その長方形を規定する４辺のうち互いに略平行な２辺（ここでは上下方向に沿った２辺）に沿ってスライド溝１４５ａ、１４５ｂを形成するスライド溝形成部材１４７ａ、１４７ｂが取り付けられている。スライド溝形成部材１４７ａ、１４７ｂは、該２辺に対して垂直な断面において「コ」の字形状（特に、図５参照）を有しており、この「コ」の字の凹部分に沿ってスライド溝１４５ａ、１４５ｂが形成されている。なお、スライド溝１４５ａ、１４５ｂは、互いに略平行な直線に沿って形成されていると共に、後述する蓋部分１２１（縁部１２３ｃ、１２３ｄ）が係合した状態で上下方向にスライド可能になっている。
また、本体部分１４１が形成する略直方体の外面を構成する６面のうち上面１４２には、被収納物たる前記紙片（応募用紙）を入れる入口１４２ｈが形成されている。入口１４２ｈは、前記紙片（応募用紙）を通過させることができる大きさ及び形状を有しており、本体部分１４１の内部（該中空の略直方体の内部）と外部とを連通させている。
そして、本体部分１４１（ここではスライド溝形成部材１４７ｂ）の前面には、図示しない鍵を取り付けるための貫通孔である本体鍵取付孔１４９ｈを有する本体鍵取付部１４９（板状の部材により構成されており、該部材の表裏面を本体鍵取付孔１４９ｈが貫通している。）が形成されている。
さらに、開口１４３が形成する略長方形の４辺のうち下辺に沿って下部係止溝１４６ａを形成する下部係止溝形成部材１４６が取り付けられている。下部係止溝形成部材１４６は、該下辺に対して垂直な断面において「コ」の字形状（特に、図６参照）を有しており、この「コ」の字の凹部分に沿って下部係止溝１４６ａが形成されている。なお、下部係止溝１４６ａは、後述する蓋部分１２１の下縁１２３ｂを収容すると共に蓋部分１２１の下縁１２３ｂが下方に脱落しないように係止可能になっている（換言すれば、下部係止溝１４６ａの底部は、蓋部分１２１の下縁１２３ｂを下方から支持する。）。
【０００５】
蓋部分１２１は、大まかには、両主表面が略長方形をしたプラスチック板により形成された蓋本体１２３と、蓋本体１２３の両主表面のうち一方の主表面に取り付けられた蓋鍵取付部１２５と、該一方の主表面に取り付けられた取っ手部材１２７と、を有してなる。
蓋鍵取付部１２５は、板状の部材により構成されており、図示しない鍵を取り付けるための貫通孔（該部材の表裏面を貫通する）である蓋鍵取付孔１２５ｈを有する。蓋鍵取付孔１２５ｈは、図１乃至図５に示したように蓋部分１２１が本体部分１４１に所定の位置にて取り付けられたとき、本体鍵取付孔１４９ｈに対応する位置（ここでは具体的には、蓋鍵取付孔１２５ｈと本体鍵取付孔１４９ｈとが一本の真っ直ぐな棒状部材を嵌入させることができるような位置関係）に形成されている。
そして、取っ手部材１２７は、角棒状の部材から形成されたものであり、該一方の主表面に凸部を形成することで、該凸部に指を係合させ、蓋部分１２１に力を加えやすくするものである（蓋部分１２１を上下方向に移動させやすくする。）。
このような蓋部分１２１は、蓋本体１２３の４の縁部１２３ａ、１２３ｂ、１２３ｃ、１２３ｄのうち互いに略平行な縁部１２３ｃ、１２３ｄがそれぞれスライド溝１４５ａ、１４５ｂに遊嵌された状態で本体部分１４１に対してスライド可能（本体部分１４１に対して蓋部分１２１は、下方へは縁部１２３ｂが下部係止溝１４６ａに収容され係止されるまで移動することができ、上方へは縁部１２３ｃ、１２３ｄがスライド溝１４５ａ、１４５ｂから抜き取られることができるので制限がない。）になっており、縁部１２３ｂが下部係止溝１４６ａに収容され係止された状態では蓋鍵取付孔１２５ｈと本体鍵取付孔１４９ｈとが対応する位置になる。なお、このような状態では本体部分１４１の開口１４３を蓋部分１２１が閉じるようになっており、この状態から本体部分１４１に対して蓋部分１２１を上方に移動させれば開口１４３を開放することができるようになっている。
【０００６】
図１３は、上述した従来のケース１０１の使用方法を説明する正面図（図１と同様の位置からケース１０１を見ている。）である。図１３を参照して、従来のケース１０１の使用方法について説明する。
従来のケース１０１は、載置台２０１の略水平な上面２０１ａに底面１０２が載置された状態で、スーパーマーケット等の店舗（図示せず）内に配設されている。ここでは載置台２０１は、図示しない下端が固定された支持棒２０３と、上面２０１ａが略水平になるように支持棒２０３の上端に固定された天板部材２０５と、を有してなる。
ケース１０１は、図１乃至図６に示したような状態であり、さらに蓋鍵取付孔１２５ｈと本体鍵取付孔１４９ｈとに鍵装置３０１（ここでは具体的には南京錠を用いている。）が取り付けられることで、本体部分１４１に対して蓋部分１２１を上方に移動させることができないようにされている（開口１４３を開放することができないようにされている。）。
【０００７】
図１３に示したように店舗内に配設されたケース１０１は、上述のように懸賞応募箱として用いられるものであり、懸賞（例えば、旅行や景品等）の応募者が、自分を特定する情報（例えば、住所、氏名、電話番号、性別、年齢、職業等）を紙片（応募用紙）に記載し、該情報を記載した紙片（応募用紙）を入口１４２ｈからケース１０１内部（図５及び図６において、内部１０１ｋ）へ投入する。
そして、懸賞の応募期間が経過すると、鍵装置３０１が解錠され蓋鍵取付孔１２５ｈと本体鍵取付孔１４９ｈとから鍵装置３０１が取り外された後、本体部分１４１に対して蓋部分１２１を上方に移動させ開口１４３を開放し、該開放された開口１４３を経由して紙片（応募用紙）がケース１０１内部から取り出され抽選される（抽選により当選した者には、紙片（応募用紙）に記載された情報に従って連絡等がなされる。）。
この懸賞の応募期間内に店舗内に配設されたケース１０１は、蓋鍵取付孔１２５ｈと本体鍵取付孔１４９ｈとに鍵装置３０１を取り付けることで、本体部分１４１に対して蓋部分１２１を上方に移動させ開口１４３を開放することができなくしており、これにより悪意を持った者が、開口１４３を開放してケース１０１の内部に収納された紙片（応募用紙）を盗み取ることを防止している。
【考案の開示】
【考案が解決しようとする課題】
【０００８】
しかしながら、このように従来から用いられてきたケース１０１は、上述のように、本体部分１４１に対して蓋部分１２１を上方に移動させ開口１４３を開放し開口１４３を経由してケース１０１内部の紙片（応募用紙）を盗み取ることは防止するが、ケース１０１自体が盗まれることについては何らの対策も講じられていない。即ち、ケース１０１自体を盗み出した後、ケース１０１を破壊することでケース１０１内部の紙片（応募用紙）を容易に取得することができる。
そこで、本考案では、ケースの盗難を防止することができる盗難防止用ケースを提供することを目的とする。
【課題を解決するための手段】
【０００９】
本考案の盗難防止用ケース（以下、「本ケース」という。）は、内部に被収納物を収納するケースであって、該内部に被収納物を入れる入口と、線材が貫通可能な貫通孔と、を有するものである、盗難防止用ケースである。
図１乃至図１３を参照して説明した従来のケース１０１は、内部（図５及び図６において、内部１０１ｋ）に被収納物（紙片（応募用紙））を収納するケースであり、該内部に該被収納物を入れる入口１４２ｈを有していたが、本ケースもこれと同様に、内部に被収納物を収納するケースであり、該内部に被収納物を入れる入口を有する。これにより、被収納物を入口を経由して本ケース内部に収納することができる。
そして、本ケースは線材が貫通可能な貫通孔を有するので、貫通孔に貫通させた線材（該線材は貫通孔から抜き取られないようにされる。例えば、貫通孔を通過不可能なものを本ケースの内部において線材に連結させたり、貫通孔を通過不可能な結び目を本ケースの内部において線材に形成したり、２以上の貫通孔が存すれば１の貫通孔と他の貫通孔とを１本の線材が貫通するようにしたりすればよい。）によって、容易に移動できない物（以下、「移動困難物」という。例えば、本ケースよりも大きな物や重たい物、建築物の一部（例えば、柱）のように実質的に移動できない物等を例示できる。）に本ケースを連結することで、本ケースの移動が制限され本ケースの盗難を有効に防止することができる。
なお、本考案にいう「線材」とは、貫通孔を貫通することができると共に本ケースの盗難を防止することができる程度の強度を有するものであればいかなるものであってもよく何ら制限されるものではないが、例えば、針金、ワイヤロープ、鎖、紐、ロープ等を例示することができる。
【００１０】
複数の前記貫通孔を有するもの（以下、「複数貫通孔ケース」という。）であってもよい。
貫通孔が複数（２以上）存在することにより、（１）本ケースにおける線材の位置を調節することにより、移動困難物と本ケースとの位置関係の自由度を高めることができたり、（２）少なくとも２の貫通孔が存すれば、１本の線材を該２の貫通孔の両方に貫通させて用いることで、本ケースに線材を確実に取り付けることができる。なお、１本の線材を該２の貫通孔の両方に貫通させる場合、線材の一端側と他端側との連結部分が本ケース内部に配置される場合と本ケース外部に配置される場合があるが、本ケース内部に配置される場合は連結を容易に解くことができないので本ケースの盗難を一層有効に防止することができ、本ケース外部に配置される場合は連結を容易に解くことができるので本ケースの移動や設置を容易に行うことができる。
【００１１】
複数貫通孔ケースの場合、開口を有する本体部分と、該本体部分の該開口を開閉自在な蓋部分と、を有し、前記複数の貫通孔のうち少なくとも２の貫通孔が、該蓋部分と該本体部分とのいずれか一方に形成されているものであってもよい。
図１乃至図１３を参照して説明した従来のケース１０１のように、内部（図５及び図６において、内部１０１ｋ）に収納された被収納物（紙片（応募用紙））を取り出しやすくするため、ケースが、開口１４３を有する本体部分１４１と、本体部分１４１の開口１４３を開閉自在な蓋部分１２１と、を有するようにされることが多い。このような本体部分（１４１）と蓋部分（１２１）とを有する場合、開口（１４３）を開けるときは本体部分（１４１）に対して蓋部分（１２１）を移動させる必要があるが、前記（２）に記載したように１本の線材を２の貫通孔の両方に貫通させるときに一方の貫通孔が本体部分（１４１）に形成され、他方の貫通孔が蓋部分（１２１）に形成されていれば、該１本の線材が本体部分（１４１）と蓋部分（１２１）とを連結するようにはたらくことがあり、開口（１４３）を開けるとき本体部分（１４１）に対する蓋部分（１２１）の移動を円滑に行えないことがあり得る。このため複数の貫通孔のうち少なくとも２の貫通孔が蓋部分と本体部分とのいずれか一方に形成されるようにして、該一方に形成された２の貫通孔に１本の線材を貫通させるようにすれば、該１本の線材が本体部分と蓋部分とを連結するようにはたらくことはなく、開口を開けるときの本体部分に対する蓋部分の移動を円滑に行うことができる。
【００１２】
前記貫通孔が、底面以外の部分に形成されるものであってもよい。
ここにいう「底面」とは、本ケースが水平な平面上に載置される場合、該平面に面する本ケースの外面をいう。
本ケースは、略水平な平面上に載置されて用いられることが多いものと考えられ（例えば、上面が略水平な台、テーブル、机等に載置される。）、かかる場合において本ケースの底面に貫通孔が存すれば、貫通孔を貫通する線材が本ケース底面と該平面（本ケースが載置される面）との間に線材が挟まれることがある。このように本ケース底面と該平面（本ケースが載置される面）との間に線材が挟まれると、本ケースが安定して載置できなくなったり、線材が硬いのものであれば線材により該平面（本ケースが載置される面）が損傷したり、逆に線材が損傷することが生じうる。
これらを防止するには、貫通孔を本ケースの底面以外の部分に形成するようにすればよい。
【００１３】
本ケースは単独で提供（例えば、販売）されて良いが、線材と一緒にして本ケースと線材とのセットとして提供されてもよい。
このように本ケースと線材とのセットとして本ケースを提供すれば、本ケースの使用者は、別個に線材を容易する必要がなく、すぐさま貫通孔に線材を貫通させ、移動困難物に本ケースを連結して本ケースを用いることができ便利である。
【考案を実施するための最良の形態】
【００１４】
本考案の実施の形態を図面を参照して詳述するが、本考案はこれに限定されるものではない。
【００１５】
図１４は、一実施形態の本考案の盗難防止用ケース（本ケース）１１の左側面図（従来のケース１０１を示した図３と同様の位置から見たところを示している。）であり、図１５は図１４に示した本ケース１１の右側面図（従来のケース１０１を示した図４と同様の位置から見たところを示している。）であり、図１６は図１４のＭーＭ断面図である。図１４乃至図１６を参照して、本ケース１１について説明する。
本ケース１１は、上記の従来のケース１０１に比して、本体部分１４１に貫通孔６１ａ、６１ｂ、６３ａ、６３ｂが形成されていることが異なるのみでありその余りは全く同じである。従って、ここでは本ケース１１が従来のケース１０１とは異なる点（貫通孔６１ａ、６１ｂ、６３ａ、６３ｂ）について説明し、従来のケース１０１と同様の点に関する説明は省略する（必要があれば、従来のケース１０１の説明を参照されたい。）。なお、図１４乃至図１６において、従来のケース１０１と同じ要素には同じ参照番号を付している。
また、上述のように、図１６は図１４のＭーＭ断面図であるが、図１５のＮーＮ断面も図１６と同様の断面構造を有している（ＮーＮ断面における参照番号をかっこ内に示している。）。
【００１６】
上述したように、本体部分１４１は、中空の略直方体形状を有しており、該直方体の外面を構成する６面のうち１面（ここでは該６面が１の上面１４２、１の底面１０２（下面）及び４の側面の計６面とすると、側面のうちの１面）に開口１４３が形成されている。
開口１４３が形成された面の両側に隣接する２の側面のうち、一方の側面（左側面）には２の貫通孔６１ａ、６１ｂが穿設されている。そして、該２の側面のうち、他方の側面（右側面）にも２の貫通孔６３ａ、６３ｂが穿設されている。貫通孔６１ａ、６１ｂ、６３ａ、６３ｂいずれも、底面１０２（下面）に対して平行な平面に属するように形成されている（換言すれば、貫通孔６１ａ、６１ｂ、６３ａ、６３ｂいずれも、底面１０２（下面）からの距離が略等しい。）。貫通孔６１ａ、６１ｂ、６３ａ、６３ｂいずれも、本体部分１４１の側面を円形（厳密には、貫通孔が穿設された側面に軸が略垂直に向いた直円柱形状）に貫通すると共に、本体部分１４１の内部（該中空の略直方体の内部）と外部とを連通させている。なお、ここでは該一方の側面（左側面）と該他方の側面（右側面）とに垂直な第１の直線上に貫通孔６１ａと貫通孔６３ｂとが存しており、そして該一方の側面（左側面）と該他方の側面（右側面）とに垂直な第２の直線（第１の直線とは異なるが平行である。）上に貫通孔６１ｂと貫通孔６３ａとが存している。
貫通孔６１ａ、６１ｂ、６３ａ、６３ｂいずれも、線材たるワイヤーロープが貫通可能である。
【００１７】
図１７は、本ケース１１の第１使用例を示す正面図（従来のケース１０１の使用方法を説明する図１３と同様の位置から見たところを示している。）である。図１７を参照して本ケース１１の第１使用例について説明する。
本ケース１１は、載置台２０１の略水平な上面２０１ａに底面１０２が載置された状態で、スーパーマーケット等の店舗（図示せず）内に配設されている。ここでは載置台２０１は、図示しない下端が固定された支持棒２０３と、上面２０１ａが略水平になるように支持棒２０３の上端に固定された天板部材２０５と、を有してなる。本ケース１１には、図１３における従来のケース１０１と同様に蓋鍵取付孔１２５ｈと本体鍵取付孔１４９ｈとに鍵装置３０１（具体的には南京錠）が取り付けられることで、本体部分１４１に対して蓋部分１２１を上方に移動させることができないようにされている（開口１４３を開放することができないようにされている。）。
一方、線材たる１本のワイヤーロープ７１が、貫通孔６１ａ（貫通孔６１ｂでもよい）と、貫通孔６３ｂ（貫通孔６３ａでもよい）と、を貫通している。なお、ワイヤーロープ７１は、貫通孔６１ａ（貫通孔６１ｂでもよい）と貫通孔６３ｂ（貫通孔６３ａでもよい）との間は本体部分１４１の内部を通過している。さらに、ワイヤーロープ７１は、載置台２０１（移動困難物）の支持棒２０３に巻き付けられることで係合している。そして、ワイヤーロープ７１の一端側と他端側とは、本ケース１１（本体部分１４１）の外部にて結ばれることで連結されている（結び目７１ｂ）。この状態では、本ケース１１を引っ張る等してもワイヤーロープ７１の支持棒２０３への係合を解くことはできないので（結び目７１ｂを解けば、ワイヤーロープ７１の支持棒２０３への係合を解くことができる。）、本ケース１１の移動が制限され本ケース１１の盗難を有効に防止することができる。
なお、このようにするには、ワイヤーロープ７１を貫通孔６１ａ（貫通孔６１ｂでもよい）と貫通孔６３ｂ（貫通孔６３ａでもよい）とに貫通させ、ワイヤーロープ７１を載置台２０１の支持棒２０３に巻き付けた後、ワイヤーロープ７１の一端側と他端側とを結び目７１ｂにより連結すればよい。
【００１８】
図１８は、本ケース１１の第２使用例を示す正面図（図１７と同様の位置から見たところを示している。）である。図１８を参照して本ケース１１の第２使用例について説明する。図１８の本ケース１１の第２使用例においては、前述の図１７の第１使用例に比して、結び目７１ｂの位置が異なるのみでそれ以外の点は第１使用例と同様である。
即ち、第２使用例においては、結び目７１ｂが本ケース１１（本体部分１４１）の内部に配置されている。こうするにはワイヤーロープ７１を載置台２０１の支持棒２０３に巻き付けた後、ワイヤーロープ７１の一端側を貫通孔６１ａ（貫通孔６１ｂでもよい）から本ケース１１（本体部分１４１）の内部に挿入し、ワイヤーロープ７１の他端側を貫通孔６３ｂ（貫通孔６３ａでもよい）から本ケース１１（本体部分１４１）の内部に挿入し、ワイヤーロープ７１の一端側と他端側とを本ケース１１（本体部分１４１）の内部にて結び目７１ｂにより連結すればよい。第２実施例でも、本ケース１１を引っ張る等してもワイヤーロープ７１の支持棒２０３への係合を解くことはできないので（結び目７１ｂを解けば、ワイヤーロープ７１の支持棒２０３への係合を解くことができる。）、本ケース１１の移動が制限され本ケース１１の盗難を有効に防止することができる。
図１７のように結び目７１ｂを本ケース１１（本体部分１４１）の外部に配置すれば、結び目７１ｂを形成したり解いたりすることを容易に行うことができるので、本ケース１１の設置や移動を容易に行うことができる反面、結び目７１ｂが解きやすいので本ケース１１が盗難されやすい。
一方、図１８のように結び目７１ｂを本ケース１１（本体部分１４１）の内部に配置すれば、結び目７１ｂを形成したり解いたりすることを本ケース１１（本体部分１４１）の内部にて行う必要があるのでやや手間がかかるという点はあるものの、鍵装置３０１により本体部分１４１に対して蓋部分１２１を上方に移動させて開口１４３を開放することができないようにされているので結び目７１ｂを解きにくいことから、本ケース１１が盗難されにくい。
【００１９】
図１９は、本ケース１１の第３使用例を示す正面図（図１７及び図１８と同様の位置から見たところを示している。）である。図１９を参照して本ケース１１の第３使用例について説明する。
第３使用例においても、前述の第１使用例及び第２使用例と同様、本ケース１１は、載置台２０１の略水平な上面２０１ａに底面１０２が載置された状態で、スーパーマーケット等の店舗（図示せず）内に配設されている。そして、第１使用例及び第２使用例と同様、本ケース１１は、鍵装置３０１（具体的には南京錠）が取り付けられることで、本体部分１４１に対して蓋部分１２１を上方に移動させることができないようにされている（開口１４３を開放することができないようにされている。）。
一方、線材たる１本のワイヤーロープ７１が、貫通孔６３ａと貫通孔６３ｂとを貫通している。なお、ワイヤーロープ７１は、貫通孔６３ａと貫通孔６３ｂとの間は本体部分１４１の内部を通過している。さらに、ワイヤーロープ７１は、載置台２０１（移動困難物）の支持棒２０３に巻き付けられることで係合している。そして、ワイヤーロープ７１の一端側と他端側とは、本ケース１１（本体部分１４１）の外部にて結ばれることで連結されている（結び目７１ｂ）。この状態では、本ケース１１を引っ張る等してもワイヤーロープ７１の支持棒２０３への係合を解くことはできないので（結び目７１ｂを解けば、ワイヤーロープ７１の支持棒２０３への係合を解くことができる。）、本ケース１１の移動が制限され本ケース１１の盗難を有効に防止することができる。
なお、このようにするには、ワイヤーロープ７１を貫通孔６３ａと貫通孔６３ｂとに貫通させ、ワイヤーロープ７１を載置台２０１の支持棒２０３に巻き付けた後、ワイヤーロープ７１の一端側と他端側とを結び目７１ｂにより連結すればよい。また、ここではワイヤーロープ７１は貫通孔６３ａと貫通孔６３ｂとを貫通しているが、貫通孔６１ａと貫通孔６１ｂとに貫通させるようにしてよいことは言うまでもない。
【００２０】
図２０は、本ケース１１の第４使用例を示す正面図（図１９と同様の位置から見たところを示している。）である。図２０を参照して本ケース１１の第４使用例について説明する。図２０の本ケース１１の第４使用例においては、前述の図１９の第３使用例に比して、結び目７１ｂの位置が異なるのみでそれ以外の点は第３使用例と同様である。
即ち、第４使用例においては、結び目７１ｂが本ケース１１（本体部分１４１）の内部に配置されている。こうするにはワイヤーロープ７１を載置台２０１の支持棒２０３に巻き付けた後、ワイヤーロープ７１の一端側を貫通孔６３ａから本ケース１１（本体部分１４１）の内部に挿入し、ワイヤーロープ７１の他端側を貫通孔６３ｂから本ケース１１（本体部分１４１）の内部に挿入し、ワイヤーロープ７１の一端側と他端側とを本ケース１１（本体部分１４１）の内部にて結び目７１ｂにより連結すればよい。第４実施例でも、本ケース１１を引っ張る等してもワイヤーロープ７１の支持棒２０３への係合を解くことはできないので（結び目７１ｂを解けば、ワイヤーロープ７１の支持棒２０３への係合を解くことができる。）、本ケース１１の移動が制限され本ケース１１の盗難を有効に防止することができる。
図１９のように結び目７１ｂを本ケース１１（本体部分１４１）の外部に配置すれば、結び目７１ｂを形成したり解いたりすることを容易に行うことができるので、本ケース１１の設置や移動を容易に行うことができる反面、結び目７１ｂが解きやすいので本ケース１１が盗難されやすい。
一方、図２０のように結び目７１ｂを本ケース１１（本体部分１４１）の内部に配置すれば、結び目７１ｂを形成したり解いたりすることを本ケース１１（本体部分１４１）の内部にて行う必要があるのでやや手間がかかるという点はあるものの、鍵装置３０１により本体部分１４１に対して蓋部分１２１を上方に移動させて開口１４３を開放することができないようにされているので結び目７１ｂを解きにくいことから、本ケース１１が盗難されにくい。
【００２１】
以上説明したように、本ケース１１は、内部（図５及び図６において、内部１０１ｋ）に被収納物（例えば、懸賞の応募用紙たる紙片）を収納するケースであって、該内部に被収納物（応募用紙）を入れる入口１４２ｈと、線材たる１本のワイヤーロープ７１が貫通可能な貫通孔６１ａ、６１ｂ、６３ａ、６３ｂと、を有するものである、盗難防止用ケースである。
そして、ここでは本ケース１１は、複数（ここでは４個）の前記貫通孔６１ａ、６１ｂ、６３ａ、６３ｂを有する。
【００２２】
さらに、本ケース１１は、開口１４３を有する本体部分１４１と、本体部分１４１の開口１４３を開閉自在な蓋部分１２１と、を有し、前記複数の貫通孔６１ａ、６１ｂ、６３ａ、６３ｂのうち少なくとも２（ここでは具体的には４）の貫通孔６１ａ、６１ｂ、６３ａ、６３ｂが、蓋部分１２１と本体部分１４１とのいずれか一方（ここでは本体部分１４１）に形成されている。
また、前記貫通孔６１ａ、６１ｂ、６３ａ、６３ｂは、底面１０２以外の部分（ここでは具体的には、本体部分１４１が形成する中空の略直方体形状の２の側面）に形成されている。
そして、本ケース１１は、本ケース１１単独で提供（販売等）されてもよいが、本ケース１１と線材たるワイヤーロープ７１とのセットとして提供（販売等）されてもよい。
【図面の簡単な説明】
【００２３】
【図１】従来用いられていた一例のケースを示す正面図である。
【図２】図１に示したケースの平面図である。
【図３】図１に示したケースの左側面図である。
【図４】図１に示したケースの右側面図である。
【図５】図１のＡーＡ断面図である。
【図６】図１のＢーＢ断面図である。
【図７】図１に示したケースの蓋部分の正面図である。
【図８】図７のＦーＦ断面図である。
【図９】図１に示したケースの本体部分の正面図である。
【図１０】図９に示した本体部分の平面図である。
【図１１】図９に示した本体部分の左側面図である。
【図１２】図９に示した本体部分の右側面図である。
【図１３】図１に示した従来のケースの使用方法を説明する正面図である。
【図１４】一実施形態の本考案の盗難防止用ケース（本ケース）の左側面図である。
【図１５】図１４に示した本ケースの右側面図である。
【図１６】図１４のＭーＭ断面図である。
【図１７】本ケースの第１使用例を示す正面図である。
【図１８】本ケースの第２使用例を示す正面図である。
【図１９】本ケースの第３使用例を示す正面図である。
【図２０】本ケースの第４使用例を示す正面図である。
【符号の説明】
【００２４】
１１                本ケース
６１ａ、６１ｂ、６３ａ、６３ｂ  貫通孔
７１                ワイヤーロープ
７１ｂ              結び目
１０１                従来のケース
１０１ｋ              内部
１０２                底面
１２１                蓋部分
１２３                蓋本体
１２３ａ、１２３ｂ、１２３ｃ、１２３ｄ  縁部（１２３ｂ下縁）
１２５                蓋鍵取付部
１２５ｈ              蓋鍵取付孔
１２７                取っ手部材
１４１                本体部分
１４２                上面
１４２ｈ              入口
１４３                開口
１４５ａ、１４５ｂ    スライド溝
１４６                下部係止溝形成部材
１４６ａ              下部係止溝
１４７ａ、１４７ｂ    スライド溝形成部材
１４９                本体鍵取付部
１４９ｈ              本体鍵取付孔
２０１                載置台
２０１ａ              上面
２０３                支持棒
２０５                天板部材
３０１                鍵装置
【図１】
0003112810.tif 000003
【図２】
0003112810.tif 000004
【図３】
0003112810.tif 000005
【図４】
0003112810.tif 000006
【図５】
0003112810.tif 000007
【図６】
0003112810.tif 000008
【図７】
0003112810.tif 000009
【図８】
0003112810.tif 000010
【図９】
0003112810.tif 000011
【図１０】
0003112810.tif 000012
【図１１】
0003112810.tif 000013
【図１２】
0003112810.tif 000014
【図１３】
0003112810.tif 000015
【図１４】
0003112810.tif 000016
【図１５】
0003112810.tif 000017
【図１６】
0003112810.tif 000018
【図１７】
0003112810.tif 000019
【図１８】
0003112810.tif 000020
【図１９】
0003112810.tif 000021
【図２０】
0003112810.tif 000022